(57)【要約】【課題】装置の大型化を抑制しつつセンサ本体からの着脱が可能なセンサ用の表示装置、センサ及びセンサシステムを提供する。【解決手段】電力用の雌端子４６Ａ及び信号用の雌端子４６Ｂが表示装置７０に連なるコネクタ４０に設けられ、これに対応して、電力用の雄端子３０Ａ及び信号用の雄端子３０Ｂがアンプ本体２１の後面に設けられたソケット２２にまとめて設けられている。【選択図】図２
2008164475.tif 000002
【特許請求の範囲】
【請求項１】
検出領域内における物理量を検出し、その検出量と所定の判定条件とに基づき被検出物の有無を判定するセンサの端子部に着脱可能に接続されるコネクタと、
前記コネクタに設けられ、前記検出量に応じた検出信号を前記端子部から入力する第１端子と、
表示部と、
前記第１端子で入力した前記検出信号に基づく表示パターンを前記表示部に表示させる表示制御部と、
前記コネクタに設けられ、前記センサの前記端子部に電力供給を行う第２端子と、を備えるセンサ用の表示装置。
【請求項２】
請求項１に記載のセンサ用の表示装置において、
前記センサにおける前記所定の判定条件を設定するための操作を行う操作部と、
前記操作部で設定された判定条件情報を前記センサに出力する出力端子と、を備える。
【請求項３】
請求項２に記載のセンサ用の表示装置において、
前記第１端子は前記出力端子を兼ねる構成とされ、
前記センサからの前記検出信号を前記第１端子を介して入力する入力動作と、前記判定条件情報を前記第１端子を介して前記センサに出力する出力動作とを実行する第１通信制御部を備える。
【請求項４】
請求項３に記載のセンサ用の表示装置において、
前記第１通信制御部は、前記入力動作と前記出力動作とを交互に実行する。
【請求項５】
検出領域内における物理量を検出し、その検出量に応じた検出信号を出力する検出部と、
前記検出部から出力された前記検出信号と所定の判定条件とに基づき被検出物の有無を判定する判定部と、
表示装置と電源ケーブルとが選択的に接続される端子部とを備え、
前記端子部には前記検出信号を出力する第３端子と、電力供給を受ける第４端子とが設けられているセンサ。
【請求項６】
請求項５に記載のセンサにおいて、
前記端子部には、当該端子部に接続された表示装置から判定条件情報を入力する入力端子が設けられている。
【請求項７】
請求項６に記載のセンサにおいて、
前記第３端子は前記入力端子を兼ねる構成とされ、
前記センサからの前記検出信号を前記第３端子を介して出力する出力動作と、前記判定条件情報を前記第３端子を介して入力する入力動作とを実行する第２通信制御部を備える。
【請求項８】
請求項７に記載のセンサにおいて、
前記第２通信制御部は、前記入力動作と前記出力動作とを交互に実行する。
【請求項９】
請求項５から請求項８のいずれか一項に記載のセンサであって、
前記表示装置及び前記電源ケーブルのいずれが接続されているかを認識する認識部と、
前記認識部で前記表示装置が接続されていると認識された場合に前記検出信号を前記第３端子を介して出力し、前記電源ケーブルが接続されていると認識された場合に前記判定部の判定結果に応じた判定信号を前記第３端子を介して出力する出力部を備える。
【請求項１０】
請求項４のセンサ用の表示装置と、請求項８のセンサとを備えるセンサシステムであって、
前記表示装置の前記第１通信制御部は、前記入力動作と前記出力動作とを交互に繰り返し実行する構成とされ、
前記センサの第２通信制御部は、前記第１通信制御部の前記入力動作に同期して前記検出信号の出力を行い、前記出力動作に同期して前記判定条件情報を入力するセンサシステム。
【発明の詳細な説明】
【技術分野】
【０００１】
本発明は、センサ用の表示装置、センサ及びセンサシステムに関する。
【背景技術】
【０００２】
特許文献１には、圧力の検出値と所定の閾値との比較により所定の圧力値を検出する圧力センサユニットと、上記検出値を表示する表示ユニットとを備え、必要なときだけ表示ユニットを圧力センサユニットに接続できるようにした圧力センサが開示されている。作業者は、上記所定の閾値を設定、調整するときには、圧力センサユニットに表示ユニットを接続し、この表示ユニットの表示により現在の検出値を確認することができる。そして、作業者は圧力センサユニット側の操作によって閾値の設定、調整を行う。一方、閾値の設定を行った後、上記所定の閾値と検出値に基づく検出動作を行う時には、表示ユニットは不要となり、その表示ユニットを圧力センサユニットから取り外すことができる。
【特許文献１】実公平６−４５２２６号公報
【発明の開示】
【発明が解決しようとする課題】
【０００３】
ところで、上記特許文献１の圧力センサを含むセンサは、限られたスペース内に複数台が互いに近接した状態で配置されることがある。しかし、上記特許文献１の圧力センサは、表示ユニットを接続するためのソケットが圧力センサユニットの側面に設けられており、この側面側で表示ユニットの着脱を行う必要がある。従って、複数台の圧力センサを近接した状態で配置することができない。なお、圧力センサユニットの前面には圧力導入パイプが設けられ、後面には電源ケーブルが導出されており、更に上面には操作部等が設けられている。従って、上記ソケットを側面以外に設けるにしても、そのソケット分のスペースが必要となり、圧力センサユニットの大型化に繋がるおそれがある。
【０００４】
本発明は上記のような事情に基づいて完成されたものであって、その目的は、装置の大型化を抑制しつつセンサ本体からの着脱が可能なセンサ用の表示装置及びセンサシステムを提供するところにある。
【課題を解決するための手段】
【０００５】
上記の目的を達成するための手段として、第１の発明に係るセンサ用の表示装置は、検出領域内における物理量を検出し、その検出量と所定の判定条件とに基づき被検出物の有無を判定するセンサの端子部に着脱可能に接続されるコネクタと、前記コネクタに設けられ、前記検出量に応じた検出信号を前記端子部から入力する第１端子と、表示部と、前記第１端子で入力した前記検出信号に基づく表示パターンを前記表示部に表示させる表示制御部と、前記コネクタに設けられ、前記センサの前記端子部に電力供給を行う第２端子と、を備える。
【０００６】
第２の発明は、第１の発明において、前記センサにおける前記所定の判定条件を設定するための操作を行う操作部と、前記操作部で設定された判定条件情報を前記センサに出力する出力端子と、を備える。
【０００７】
第３の発明は、第２の発明において、前記第１端子は前記出力端子を兼ねる構成とされ、前記センサからの前記検出信号を前記第１端子を介して入力する入力動作と、前記判定条件情報を前記第１端子を介して前記センサに出力する出力動作とを実行する第１通信制御部を備える。
【０００８】
第４の発明は、第３の発明において、前記第１通信制御部は、前記入力動作と前記出力動作とを交互に実行する。
【０００９】
第５の発明のセンサは、検出領域内における物理量を検出し、その検出量に応じた検出信号を出力する検出部と、前記検出部から出力された前記検出信号と所定の判定条件とに基づき被検出物の有無を判定する判定部と、表示装置と電源ケーブルとが選択的に接続される端子部とを備え、前記端子部には前記検出信号を出力する第３端子と、電力供給を受ける第４端子とが設けられている。
【００１０】
第６の発明は、第５の発明において、前記端子部には、当該端子部に接続された表示装置から判定条件情報を入力する入力端子が設けられている。
【００１１】
第７の発明は、第６の発明において、前記第３端子は前記入力端子を兼ねる構成とされ、前記センサからの前記検出信号を前記第３端子を介して出力する出力動作と、前記判定条件情報を前記第３端子を介して入力する入力動作とを実行する第２通信制御部を備える。
【００１２】
第８の発明は、第７の発明において、前記第２通信制御部は、前記入力動作と前記出力動作とを交互に実行する。
【００１３】
第９の発明は、第５から第８のいずれか一つの発明において、前記表示装置及び前記電源ケーブルのいずれが接続されているかを認識する認識部と、前記認識部で前記表示装置が接続されていると認識された場合に前記検出信号を前記第３端子を介して出力し、前記電源ケーブルが接続されていると認識された場合に前記判定部の判定結果に応じた判定信号を前記第３端子を介して出力する出力部を備える。
【００１４】
第１０の発明のセンサシステムは、請求項４のセンサ用の表示装置と、請求項８のセンサとを備えるセンサシステムであって、前記表示装置の前記第１通信制御部は、前記入力動作と前記出力動作とを交互に繰り返し実行する構成とされ、前記センサの第２通信制御部は、前記第１通信制御部の前記入力動作に同期して前記検出信号の出力を行い、前記出力動作に同期して前記判定条件情報を入力する。
【発明の効果】
【００１５】
＜第１の発明＞
本発明によれば、表示装置がセンサから着脱可能になっているから、例えばセンサの検出条件設定時など、必要なときだけ表示装置をセンサに接続して使うことができる。このとき、センサへの電力供給は表示装置から行われる。しかも、センサからの検出信号を入力する第１端子と、センサへの電力供給を行う第２端子とが共通のコネクタに設けられている。そして、第１端子及び第２端子にそれぞれ接続される各端子もセンサ側の端子部に一箇所にまとめられることになる。従って、センサの装置の大型化を抑制しつつ、センサの表面を広く確保できる。
【００１６】
＜第２の発明＞
判定条件を設定するための設定部が表示装置側に設けられているから、当該表示装置においてセンサにおける検出量に応じた表示パターンを確認しつつ判定条件の設定を行うことができる。
【００１７】
＜第３，４，１０の発明＞
センサからの検出信号を入力するときと、センサへ判定条件情報を出力するときとで共通の第１端子を利用するから、別々に出力用端子と入力用端子とを設ける構成に比べて装置の小型化を図ることができる。なお、第３の発明には、検出信号と判定条件情報とを、センサと表示装置との間で同時にやり取りされる共通の送信信号列に乗せて、上記入力動作及び出力動作を実質的に同時に行う構成と、上記入力動作と上記出力動作とを互いに異なるタイミングで時分割に行う構成とが含まれる。後者の構成（第４の発明）であれば、表示装置側で検出信号に対する処理と、判定条件情報に対する処理とを時分割に行うことができ、同時期における制御負担を軽減できる。
【００１８】
＜第５の発明＞
検出信号を出力する第３端子と、電力供給を受ける第４端子とが一箇所の端子部にまとめられているから、両端子をそれぞれ個別の箇所に設けた端子部に設ける構成に比べてセンサの装置の大型化を抑制しつつ、センサの表面を広く確保できる。
【００１９】
＜第６の発明＞
例えばセンサにおける被検出物の有無判定のための判定条件を表示装置にて設定し、この判定条件情報を表示装置からセンサに送る構成では、その判定条件情報のための入力端子を端子部に設けることが好ましい。
【００２０】
＜第７，８，１０の発明＞
表示装置からの判定条件情報を入力するときと、表示装置へ検出信号を出力するときとで共通の第３端子を利用するから、別々に出力用端子と入力用端子とを設ける構成に比べて装置の小型化を図ることができる。なお、第７の発明には、検出信号と判定条件情報とを、センサと表示装置との間で同時にやり取りされる共通の送信信号列に乗せて、上記入力動作及び出力動作を実質的に同時に行う構成と、上記入力動作と上記出力動作とを互いに異なるタイミングで時分割に行う構成とが含まれる。後者の構成（第８の発明）であれば、センサ側で検出信号に対する処理と、判定条件情報に対する処理とを時分割に行うことができ、同時期における制御負担を軽減できる。
【００２１】
＜第９の発明＞
センサにおいて、判定信号を出力するときと検出信号を出力するときとで共通の第３端子を利用するから、別々の出力端子を利用する構成に比べて装置の小型化を図ることができる。
【発明を実施するための最良の形態】
【００２２】
本発明の一実施形態を図１〜図７を参照しつつ説明する。
本実施形態のセンサは、光学式の光ファイバセンサ２０（「センサ」の一例）であって、図１に示すように複数台（例えば３台）が横並びに近接して配列される。
【００２３】
（光ファイバセンサ）
各光ファイバセンサ２０は、アンプ本体２１を備え、このアンプ本体２１から一対の光ファイバ６０，６０が導出された構成になっている。具体的には、各アンプ本体２１は、横方向で偏平になったケース２７の内部に、図示しない回路基板を収容している。回路基板には、図２に示すように、投光素子５０、受光素子５１、投光素子５０を駆動するための駆動回路５２、受光素子５１の出力信号を増幅させる増幅回路５３、ＣＰＵ５４、及び、それら回路に電力を供給する電源回路５５が設けられている。
【００２４】
アンプ本体２１のうち図１における右上方を向いた前面には、一対の光ファイバ６０，６０の基端部が突入され、その基端部を投光素子５０及び受光素子５１にそれぞれ突き合わせて光学的に連結してある。アンプ本体２１の上面には、所定の検出領域内における被検出物Ｗの有無を判定する検出モードと、その判定条件を設定する設定モードとの間でモード切り替えを行うことができる切替スイッチ３３が設けられている。検出モードに設定されているとき、ＣＰＵ５４は、駆動回路５２を駆動して投光素子５０を発光させ、それに同期したタイミングで受光素子５１から増幅回路５３にて増幅された受光信号（「検出信号」の一例）を取得する投受光動作を行う。この受光信号レベル（「検出量」の一例）は、検出領域に被検出物Ｗがある場合とない場合とで変化する。従って、この受光信号レベルを所定の閾値と大小比較することで上記被検出物Ｗの有無を判定できる。このとき、受光素子５１が「検出部」の一例として機能し、ＣＰＵ５４が「判定部」の一例として機能する。
【００２５】
アンプ本体２１の底面には、図３に示すように、長手方向の両端に一対の突部２３，２３が設けられ、それら突部２３，２３の対向面から突出させた一対の係止爪２４，２５が、レール６１に係合可能となっている。レール６１は、その幅方向の両縁から起立した垂直壁の上端が、相反する方向に屈曲して水平方向に突出され、その突出部分に前記係止爪２４，２５が係止する。
【００２６】
また、アンプ本体２１の前面側に配した係止爪２４は、突部２３に一体成形されているが、他方の係止爪２５は、突部２３と別体に形成され、ケース２２に組み付けられている。さらに、図４に示すように、係止爪２５の基端側には、可撓部２６が一体に備えられ、その可撓部２６が、突部２３に形成した収容空間２３Ｓに収容されている。そして、係止爪２５が突部２３側に押されると、前記可撓部２６が変形して、係止爪２５が収容空間２３Ｓ側へと退避し、もって、両係止爪２４，２５の間隔が拡がり、アンプ本体２１をレール６１から上方に取り外すことができる。
【００２７】
本実施形態のアンプ本体２１の後面には、図１に示すように、ソケット２２（「端子部」の一例）が陥没形成されており、その奥面から、３つの雄端子３０（図１には、下側の２つのみが示されている）が上下に並列して突出している。これら３本の雄端子３０のうち上下の２つの雄端子３０Ａ，３０Ａ（「第４端子」の一例）は、アンプ本体２１の電源回路５５に連なり、中央の１つの雄端子３０Ｂ（「第３端子、入力端子」の一例）は入出力回路３２を介してＣＰＵ５４に連なっている。
【００２８】
（表示装置）
表示装置７０は、図５に示すように、例えば４桁の７セグメントＬＥＤ７１，７１を２つ並べてなるデジタル表示部７１（「表示部」の一例）を備えている。また、そのデジタル表示部７１の横の操作部７２にはモードキー７３、アップキー７４及びダウンキー７５が設けられている。また、表示装置７０の一端からはケーブル７６が導出され、このケーブル７６の先端にコネクタ４０が設けられている。コネクタ４０は、いずれのアンプ本体２１のソケット２２にも結合可能とされている。
【００２９】
コネクタ４０は、全体として直方体上をなし、その上面には片持ち梁状のロックアーム４１が設けられている。このロックアーム４１により、ソケット２２に抜け止めされる。図６に示すように、コネクタ４０の全面には、ソケット２２の３つの雄端子３０に対応して、３つの端子挿入孔４５が形成されている。そして、上下２つの端子挿入孔４５の内部には、電力用の雌端子４６Ａ，４６Ａ（「第２端子」の一例）が収容され、真ん中の端子挿入孔４５には、信号用の雌端子４６Ｂ（「第１端子、出力端子」の一例）が収容されている。コネクタ４０の後面には、断面長円形の突部４４が形成され、その突部４４の端面からは、雌端子４６Ｂに連なる信号線４３と、雌端子４６Ａ，４６Ａにそれぞれ連なる１対の電力線４２，４２が導出され、これらの信号線４３及び電力線４２がケーブル７６に束ねられている。
【００３０】
また、表示装置７０には、図示しない外部電源に連なる電源コネクタ（図示せず）が結合されるソケット７７が設けられている。このソケット７７は、上記アンプ本体２１のソケット２２に対して、上記雄端子３０Ｂを備えていない点で異なるが、他の構造はほぼ同じである。また、電源コネクタは、上記コネクタ４０に対して、雌端子４６Ｂを備えていない点で異なるが、他の構造はほぼ同じである。従って、表示装置７０を使用しないときは、ソケット２２からコネクタ４０を取り外し、電源コネクタを直接アンプ本体２１のソケット２２に接続して、アンプ本体２１への電力供給を行うことができる。
【００３１】
また、図２に示すように、表示装置７０は、デジタル表示部７１を制御するとともに操作部７２からの操作信号を受けるＣＰＵ８０と、これらに電力を供給する電源回路８１とを備える。上記コネクタ４０の雌端子４６Ａ，４６Ａは電源回路８１に連なり、雌端子４６Ｂは入出力回路８２を介してＣＰＵ８０に連なっている。
【００３２】
（検出モードと設定モード）
被検出物Ｗの検出を行いたい場合には、アンプ本体２１の上記切替スイッチ３３を操作して検出モードに設定する。このとき、特に表示装置７０は必要ない。そこで、アンプ本体２１のソケット２２に電源コネクタを直接結合させる。これによりアンプ本体２１は電源コネクタを介して外部電源から電力供給されることになる。そして、アンプ本体２１のＣＰＵ５４は所定の周期で上記投受光動作を繰り返し実行する。そして、受光信号レベルと所定の閾値との大小関係に応じて反転する２値化の判定信号を出力する。そして、この判定信号は入出力回路３２（「出力部」の一例）を介して雄端子３０Ｂから出力される。従って、この雄端子３０に接続した図示しない外部装置に送ることができる。
【００３３】
次に、上記アンプ本体２１における判定条件を設定したい場合には、アンプ本体２１の上記切替スイッチ３３を操作して設定モードに切り替える。このときは表示装置７０が必要となる。そこで、アンプ本体２１のソケット２２から電源コネクタを取り外し、代わりに表示装置７０に連なるコネクタ４０を結合する。また、電源コネクタを表示装置７０のソケット７７に結合する。これにより、表示装置７０は外部電源から電力供給され、また、アンプ本体２１は表示装置７０を介して外部電源から電力供給されることになる。
【００３４】
そして、図７に示すように、アンプ本体２１のＣＰＵ５４が、まず同期信号に続き例えば現在の受光信号を、上記入出力回路３２を介して雄端子３０Ｂから出力する。これに対して、表示装置７０のＣＰＵ８０は、アンプ本体２１からの上記同期信号を雌端子４６Ｂから受けるまでは入力状態で待機し、この同期信号を受けると後続する受光信号を入力する入力動作を実行する。そして、この受光信号の入力が完了すると、その受光信号レベル（「表示パターン」の一例）を一方の７セグメントＬＥＤ７１に数値表示させる。このとき、ＣＰＵ８０は「表示制御部」の一例として機能する。
【００３５】
また、受光信号の入力が完了したときに同期信号に続き判定条件情報を、上記入出力回路８２を介して雌端子４６Ｂから出力する。ここで、例えばもう一方の７セグメントＬＥＤ７１には設定しようとする閾値が数値表示され、この数値はアップキー７４及びダウンキー７５によって変更することができ、例えばモードキー７３を押下することで現在の表示値が判定条件情報としての閾値とされる。このとき、一方の７セグメントＬＥＤ７１には現在の受光信号レベルが数値表示されているからこれを参考にして適切な閾値を設定することができる。なお、判定条件情報としては、閾値そのもの以外に、アンプ本体２１における判定の感度、投光素子５０の投光量などの情報であってもよい。
【００３６】
これに対して、アンプ本体２１側は自己の受光信号の出力が終了すると入力状態に切り替わり、表示装置７０からの同期信号を受けたときに判定条件情報の入力を開始する。そして、ＣＰＵ５４は、入力した判定条件情報としての上記閾値を検出用の閾値として更新し、以後、この更新後の閾値に基づき判定動作を行う。表示装置７０は、自己の判定条件情報の出力が完了すると入力状態に切り替わる。アンプ本体２１は、判定条件情報の入力を完了すると、その後、再び同期信号に続き受光信号の出力を行う。このとき、ＣＰＵ８０及び入出力回路８２は「第１通信制御部」の一例として機能し、ＣＰＵ５４及び入出力回路３２は「第２通信制御部」の一例として機能する。
【００３７】
（本実施形態の効果）
このようにして、アンプ本体２１と表示装置７０とが代わる代わる出力動作と入力動作とを交互に実行する。従って、判定条件情報及び受光信号のやり取りを共通の雄端子３０Ｂ及び雄端子３０Ｂを使って行うことができる。
【００３８】
また、電力用の雌端子４６Ａ及び信号用の雌端子４６Ｂが表示装置７０に連なるコネクタ４０に設けられ、これに対応して、電力用の雄端子３０Ａ及び信号用の雄端子３０Ｂがアンプ本体２１の後面に設けられたソケット２２にまとめて設けられている。そして、各アンプ本体２１の両側面にはソケットなどが設けられておらず、互いの側面同士を近接した状態で配置することができる。
【００３９】
また、表示装置７０に連なるコネクタ４０は、３台のアンプ本体２１のいずれのソケット２２にも結合することができる。つまり、１台の表示装置７０を３台のアンプ本体２１で共用することができるため、センサシステム全体としてのコストの低減を図ることができる。
【００４０】
更に、判定条件を設定するための操作部７２を表示装置７０側に設けて、アンプ本体２１に設けないようにすることで、アンプ本体２１の小型化、低コスト化を図ることができる。
【００４１】
＜他の実施形態＞
本発明は上記記述及び図面によって説明した実施形態に限定されるものではなく、例えば次のような実施形態も本発明の技術的範囲に含まれる。
（１）上記実施形態では、受光信号と同様に、判定信号も雄端子３０Ｂから出力する構成としたが、これに限らず、例えば図８に示す構成であってもよい。即ち、アンプ本体２１に外部機器からのコネクタが結合されるソケット９０を別途設けて、ここに出力端子９１が備えられている。そして、ＣＰＵ５４は、判定信号を出力回路を介して出力端子９１から出力する。このような構成であれば、表示装置７０を接続した状態で判定信号を外部機器に引き渡すことができる。なお、判定信号を表示装置７０を介して外部機器に引き渡す構成も考えられるが、この構成では判定信号の伝送経路が長くなり応答時間が遅れるといった問題が生じ得るため、図８に示す構成が望ましい。
【００４２】
（２）上記実施形態では、判定条件を設定するための操作部を表示装置７０側に設ける構成であったが、アンプ本体２１側に設ける構成であってもよい。
（３）「第２端子」には、上記実施形態のように外部電源から受けた電力に基づきセンサに電力供給する構成以外に、表示装置自体が例えば乾電池（充電可能な電池を含む）などの独自の電源を有し、この独自の電源によりセンサに電力供給する構成であってもよい。
【００４３】
（４）「センサ」としては光ファイバセンサなどの光学式センサ以外に、圧力センサ、流量センサ、磁気センサなど、物理量変化に基づき被検出物を検出する各種のセンサが含まれる。
（５）上記実施形態では、「認識部」として切替スイッチ３３によって検出モードと設定モードとを手動で切り替える構成であったが、例えばソケット２２に、コネクタ４０との結合の有無に応じた電圧レベルを示す端子を設けて、この端子の電圧レベルに基づき自動で検出モードと設定モードとを切り替える構成であってもよい。
（６）上記実施形態では、判定信号を出力する構成であったが、これに限らず、例えば判定信号を出力せずにセンサに設けられた表示灯を点灯させる構成であってもよい。
【図面の簡単な説明】
【００４４】
【図１】本発明の一実施形態に係るアンプ本体及びコネクタの斜視図
【図２】アンプ本体及びコネクタの回路図
【図３】アンプ本体の側面図
【図４】アンプ本体の底面図
【図５】表示装置の上面図
【図６】コネクタの斜視図
【図７】アンプ本体と表示装置とのデータのやり取りを示すタイムチャート
【図８】変形例のアンプ本体及びコネクタの回路図
【符号の説明】
【００４５】
２０…光ファイバセンサ（センサ）
２２…ソケット（端子部）
３０Ａ…雄端子（第４端子）
３０Ｂ…雄端子（第３端子、入力端子）
４０…コネクタ
３２…入出力回路（出力部）
４６Ａ…雌端子（第２端子）
４６Ｂ…雌端子（第１端子、出力端子）
５１…受光素子（検出部）
５４…ＣＰＵ（判定部、第２通信制御部）
７０…表示装置
７１…デジタル表示部（表示部）
７２…操作部
８０…ＣＰＵ（表示制御部、第１通信制御部）
Ｗ…被検出物
【図１】
2008164475.tif 000003
【図２】
2008164475.tif 000004
【図３】
2008164475.tif 000005
【図４】
2008164475.tif 000006
【図５】
2008164475.tif 000007
【図６】
2008164475.tif 000008
【図７】
2008164475.tif 000009
【図８】
2008164475.tif 000010